(57)【要約】【課題】特定時間中の着呼の遮断に起因する問題を回避すると共に、特定目的での装置の使用に関連するコストを識別することを可能にする、無線通信システムを提供すること。【解決手段】割り当てられた少なくとも２つの異なる電話番号(30)の各々を使用して発呼を開始するよう構成された無線通信装置(12)を含む、マルチナンバー式無線通信システム(10)。【選択図】図１
2007124658.tif 000002
【特許請求の範囲】
【請求項１】
割り当てられた少なくとも２つの異なる電話番号(30)の各々を使用して発呼を開始するよう構成された無線通信装置(12)を含む、マルチナンバー式無線通信システム(10)。
【請求項２】
前記無線通信装置(12)が、前記少なくとも２つの異なる電話番号(30)の各々について少なくとも１つの着呼を受けるよう構成されている、請求項１に記載のシステム(10)。
【請求項３】
前記無線通信装置(12)が、コールマネージャ(24)を含み、該コールマネージャ(24)が、前記発呼の通信パケットを、該発呼を開始した前記少なくとも２つの異なる電話番号(30)のうちの選択された１つの電話番号を識別する情報を用いてフォーマットするよう構成されている、請求項１に記載のシステム(10)。
【請求項４】
前記無線通信装置(12)が、コールマネージャ(24)を含み、該コールマネージャ(24)が、前記少なくとも２つの異なる電話番号(30)のうちの１つで受けた着呼の通信パケットを解析して、前記着呼を受けた前記１つの電話番号(30)を識別するよう構成されている、請求項１に記載のシステム(10)。
【請求項５】
前記無線通信装置(12)が、プロファイルマネージャ(26)を含み、該プロファイルマネージャ(26)が、前記少なくとも２つの異なる電話番号(30)のうちの少なくとも１つにプロファイル設定(40)を割り当てる、請求項１に記載のシステム(10)。
【請求項６】
前記無線通信装置(12)が、発呼を開始するための前記少なくとも２つの異なる電話番号(30)のうちの１つの選択をユーザから受け取るよう構成されている、請求項１に記載のシステム(10)。
【請求項７】
無線通信方法であって、
無線通信装置(12)に割り当てられた少なくとも２つの異なる電話番号(30)のうちの選択された１つで該無線通信装置(12)により発呼を開始するステップを含む、無線通信方法。
【請求項８】
前記発呼に関連付けされた通信パケットを、前記選択された１つの電話番号(30)の指示を用いてフォーマットするステップを更に含む、請求項７に記載の方法。
【請求項９】
前記少なくとも２つの異なる電話番号(30)のうちの別の電話番号で着呼を受けるステップを更に含む、請求項７に記載の方法。
【請求項１０】
前記少なくとも２つの異なる電話番号(30)のうちの少なくとも１つの電話番号で受けた着呼の通信パケットを解析して前記少なくとも１つの電話番号(30)を識別するステップを更に含む、請求項７に記載の方法。
【発明の詳細な説明】
【技術分野】
【０００１】
本発明は、携帯電話等の無線通信システムに関するものである。
【背景技術】
【０００２】
電話、携帯電話、VoIP（Voice over Inernet Protocol）を介してのポータブルコンピュータ、及びページャその他の無線通信装置は、会社、家族、及び友人との接続を維持する手段として次第に普及しつつある。
【発明の開示】
【発明が解決しようとする課題】
【０００３】
しかし、かかる装置のユーザは、複数の装置又は複製された装置（例えば「多機能ベルト（utility belt）」の外観を真似たもの）を携行しようとしない限り、一般に、同一の装置を異なる目的（例えば業務用と個人用）に使用することになる。このため、該装置のユーザは、特定の時間中に着呼を遮る（例えば、週末に業務関連の着呼を遮り、業務の会議中に個人用の着呼を遮る）傾向があり、これは問題となり及び／又は厄介なこととなることが多い。更に、特定目的での装置の使用に関連するコスト（例えば、払い戻しのための業務関連コスト）を識別することは、困難であり且つ時間を要する。
【発明を実施するための最良の形態】
【０００４】
本発明とその利点をより完全に理解するために、図面に関連して行う以下の説明を参照する。
【０００５】
本発明の好ましい実施形態とその利点は、図面の図１〜図４を参照することで最もよく理解され、様々な図面の同様の対応する部分には、同様の番号が使用されている。
【０００６】
図１は、本発明によるマルチナンバー式無線通信システム10の一実施形態を示すブロック図である。同図に示す実施形態では、システム10は、無線通信ネットワーク16を介してサービスプロバイダ14に対応し及び／又はサービスプロバイダ14によって他の方法で提供される無線電話通信のために構成された無線通信装置12を含む。該無線通信装置12は、携帯電話、ページャ、ノートブック又はラップトップコンピュータ、タブレットコンピュータ、携帯情報端末、又は他のタイプの携帯型又は非携帯型装置等の（但しこれらには限定されない）通信装置12による無線電話通信の個別の送信／受信を可能にする無線モジュール／トランシーバ20を有する任意のタイプの装置を含むことが可能なものである。
【０００７】
図１に示した実施形態では、無線通信装置12は、コールマネージャ24、プロファイルマネージャ26、及びインタフェイス28を含む。コールマネージャ24及びプロファイルマネージャ26は、ハードウェア、ソフトウェア、又はハードウェアとソフトウェアの組み合わせから構成することができる。インタフェイス28は、装置12からユーザへ情報を提供し及び／又はユーザから情報を受け取るための任意の装置を含むことができる。例えば、インタフェイス28は、液晶ディスプレイ（LCD）、マイク、スピーカ、又はキーパッドを含むことができる。
【０００８】
図１に示した実施形態では、無線通信装置12は、複数の異なる電話番号30が割り当てられるよう構成され、これにより、該無線通信装置12は、該割り当てられた各電話番号30で電話をかけ及び／又は受けるよう構成されている。本書で用いる場合、異なる電話番号30は、一意の異なる番号又は同一番号もしくは単一番号の異なる内線番号を含むものとする。図１に示す実施形態では、通信装置12には業務用電話番号32及び個人用電話番号34が割り当てられている。業務用電話番号32は通信装置12のユーザの業務関連の電話番号を表わすもの、個人用電話番号34は通信装置12のユーザの個人用電話番号即ち非業務用電話番号を表わすものとすることができる。このため、例えば、本発明の実施形態によれば、無線通信装置12のユーザは、少なくとも２つの異なる電話番号を使用して、電話をかけ、受け、及び／又は区別することができる。
【０００９】
図１に示す実施形態では、無線通信装置12は、無線通信装置12に割り当てられた各電話番号30を明確に識別するために使用される識別子38を含む。例えば、本発明の幾つかの実施形態では、該識別子38は、無線通信装置12に割り当てられた複数の異なる電子的なシリアル番号（ESN）を含み、該シリアル番号は、無線通信装置12に割り当てられた各電話番号30と一意に関連付けされたものである。しかし、無線通信装置12に割り当てられた複数の異なる電話番号30を一意に識別し及び／又は区別するために他のタイプの情報及び／又は方法を使用することができることが理解されよう。
【００１０】
プロファイルマネージャ26は、無線通信装置12に割り当てられた各電話番号30毎に様々なタイプの設定を行うために使用される。例えば、図１に示す実施形態では、無線通信装置12は、無線通信装置12に割り当てられた各電話番号30毎に設定されたプロファイル設定に関する情報を有するプロファイルデータ40を含む。図１に示す実施形態では、プロファイルデータ40は、アクティブ／スタンバイ設定42、ボイスメール設定44、及び着信音設定46を含む。アクティブ／スタンバイ設定42は、特定の電話番号30がアクティブモード（例えば、着呼のユーザ通知を積極的に通知し及び／又はその他の態様で示すモード）又はスタンバイモード（例えば、着呼をボイスメールへ自動的に転送し、着呼に応答も接続もせず、及び／又はその他の態様で着呼のユーザ通知を示さない）となるよう設定することに関連する情報を含む。ボイスメール設定44は、無線通信装置12に割り当てられた各電話番号30毎に異なるボイスメールオプションを設定することに関連する情報を含む。例えば、ボイスメール設定44は、無線通信装置12の業務用電話番号32のために業務形式の挨拶及び／又はメッセージを有し、及び個人用電話番号34のために一層個人的な又は非業務的な挨拶を有するように設定することが可能である。着信音設定46は、無線通信装置12に割り当てられた異なる電話番号30のために異なる着信音モードを設定することに関する情報を含む。例えば、本発明の実施形態によっては、特定の着信音モード及び／又は着信音トーン又はサウンドを、通信装置12に割り当てられた特定の電話番号30と一意に関連付けして、該通信装置12のユーザが異なるタイプの電話着信（例えば業務用又は個人用）を音で区別できるようにすることが可能である。
【００１１】
このため、本発明の幾つかの実施形態では、プロファイルマネージャ26は、通信装置12に割り当てられた各電話番号30毎に特定のプロファイル設定を行うために使用される。例えば、本発明の幾つかの実施形態では、プロファイルマネージャ26は、各電話番号30毎にアクティブ／スタンバイ設定42を行うために使用される。この例では、ユーザは、通常の勤務時間中には業務用電話番号32への着信を知らせ、通常の勤務時間外に受け取った着呼を自動的にボイスメールに送ることを望む場合がある。したがって、本発明の実施形態には、アクティブ／スタンバイ設定42を業務用電話番号32用に設定して、アクティブモード中に（例えば通常勤務時間中に）業務用電話番号32の着信を（例えば、着信音、インタフェイス28上の表示、又はその他の方法で）装置12のユーザに知らせるようにすることが可能である。
【００１２】
本発明の幾つかの実施形態では、コールマネージャ24は、認識した着呼及び／又は発呼者に応答するためにプロファイルデータ40を自動的に適用し及び／又は他の態様で使用するように設定される。例えば、着呼の発信元及び／又は発信者の（例えば、発呼者識別（発呼者ID）法又はその他の方法による）自動的な識別に応じて、コールマネージャ24は、プロファイルデータ40（例えば、常に着信音を鳴らす及び／又は着呼をユーザに通知する、ボイスメールに送信しない、ボイスメールへの転送のみ、など）に基づいて、認識した着呼にそれを自動的に適用し及び／又は該着呼に応答する。
【００１３】
コールマネージャ24は、無線通信装置12の発呼及び着呼を管理するために使用される。例えば、本発明の幾つかの実施形態では、コールマネージャ24は、無線通信装置12に割り当てられた特定の電話番号30についての着呼及び発呼を区別し及び／又は他の態様で識別する論理回路を含む。本発明の幾つかの実施形態では、コールマネージャ24は、発呼を行い又は開始させるために使用された無線通信装置12に割り当てられた特定の電話番号30を一意に識別するプロトコルを使用して、発呼をフォーマットし及び／又はその他の態様で符号化する。本発明の幾つかの実施形態では、識別子38（例えば、特定の電話番号30と一意に関連付けされたESNその他の識別情報）は、無線通信装置12による発呼の一部として該無線通信装置12から送られる１つ又は２つ以上の無線通信データパケット内に符号化され及び／又はその他の態様で含められる。特定の電話番号30と関連付けされたものとして発呼を識別する識別情報は、かかる無線通信データパケットのヘッダ内に配置されるのが好ましい。しかし、識別情報を他の態様で発呼通信パケット内にフォーマットし及び／又は符号化することが可能であることが理解されよう。更に、他のタイプの識別情報を使用して、無線通信装置12に割り当てられた特定の電話番号30を用いた特定の発呼を一意に識別することが可能であることが理解されよう。
【００１４】
本発明の幾つかの実施形態では、コールマネージャ24は、無線通信装置12に割り当てられた特定の電話番号30による無線通信装置12への着呼を区別し及び／又は他の態様で識別するために使用される。例えば、本発明の幾つかの実施形態では、コールマネージャ24は、無線通信装置12が受信した無線通信データパケットを解析して、特定の電話番号30を有する着呼を示し及び／又はその他の態様で関連付けする無線通信データパケット内の識別情報を識別し及び／又はその他の態様で判定するよう設定される。上述したように、無線通信データパケットに含まれる情報は、無線通信装置12に割り当てられた特定の電話番号30に着呼を関連付けする特定の識別子38（例えば、ESNその他のタイプの一意の識別子）又はその他のタイプの識別情報を含むことができる。
【００１５】
図１に示す実施形態では、サービスプロバイダ14は、コールマネージャ50及び課金マネージャ52を含む。コールマネージャ50及び課金マネージャ52は、ハードウェア、ソフトウェア、又はハードウェアとソフトウェアの組み合わせからなることができる。課金マネージャ52は、無線通信装置12に割り当てられた各電話番号30に関する無線通信装置12の使用に基づいて課金サービスを提供するために使用される。コールマネージャ50は、無線通信装置12に電話サービスを提供し、及び該無線通信装置12に割り当てられた異なる電話番号30を区別するために使用される。例えば、本発明の幾つかの実施形態では、コールマネージャ50は、無線通信装置12から電話サービスの要求を受信し、無線通信装置12から受信した無線通信データパケットを解析して電話サービスを要求した無線通信装置12に割り当てられた特定の電話番号30を識別し及び／又はその他の態様で判定するよう構成される。更に、本発明の幾つかの実施形態では、コールマネージャ50は、無線通信装置12宛の発呼についてサービスプロバイダ14が該無線通信装置12へ送る無線通信データパケット内に識別情報をフォーマットし及び／又はその他の態様で符号化して該発呼の特定の電話番号30を識別するよう構成される（これはまた、着呼を受信する特定の電話番号30を無線通信装置12が識別することを可能にする）。
【００１６】
図１に示す実施形態では、サービスプロバイダ14は、無線通信装置12に割り当てられた電話番号30を特定のアカウントに関連付けし及び／又は無線通信装置12に割り当てられた各電話番号30毎に無線電話通信を区別するための関係情報を有する関係マッピングデータ60を含む。例えば、図１に示す実施形態では、関係マッピングデータ60は、識別子62、電話番号64、及びアカウントデータ68を含む。識別子62は、無線通信装置12に割り当てられた異なる電話番号30を区別し及び／又はその他の態様で一意に識別するために使用される、無線通信装置12に関する識別情報を含む。例えば、本発明の幾つかの実施形態では、識別子62は、無線通信装置12に割り当てられ、及び該無線通信装置12に割り当てられた個々の電話番号30と一意に関連付けされたESNを含む。電話番号64は、無線通信装置12に割り当てられた電話番号30を表し、関係マッピングデータ60を使用して、特定の識別子62を、無線通信装置12に対応する特定の電話番号64でマッピングし及び／又はその他の態様で関連付けするようになっている。アカウントデータ68は、特定のサービスアカウントを有する特定の無線通信装置12に割り当てられた特定の電話番号64を識別することに関連する情報を含む。
【００１７】
このため、動作時に、無線通信装置12は、該無線通信装置12に割り当てられた電話番号30のうちの１つを使用して発呼を開始する。本発明の幾つかの実施形態では、コールマネージャ24は、発呼を開始するために使用することが可能な無線通信装置12に割り当てられた電話番号30を装置12のユーザに表示し又はその他の態様で示すよう構成される。例えば、本発明の幾つかの実施形態では、コールマネージャ24は、無線通信装置12に割り当てられた業務用電話番号32と個人用電話番号34のリストをインタフェイス28に表示し、発呼を開始するためにそのうちの１つをユーザが選択できるように構成される。しかし、本発明の他の実施形態では、通信装置12を、特定のモード（例えば業務用電話番号32モード）で動作するよう構成して、その特定のモードにある間に全ての発呼が該特定のモードの電話番号（例えば業務用電話番号32）を使用して行われるようにすることが可能である、ということが理解されよう。かかる実施形態では、１つのモードから別のモードに切り替えるために、ボタン、表示アイコン、スイッチ、又は他の装置を使用する（例えばボタン又はアイコンを押すことにより業務用電話番号32モードでの動作から個人用電話番号34モードでの動作に切り替える）ことが可能である。
【００１８】
複数の電話番号30から選択された１つの電話番号と、発呼の受信者の電話番号とを受け取ると、コールマネージャ24は、発呼を開始し、発呼用に選択された電話番号30を識別し及び／又はその他の態様で示す識別子38及び／又はその他の情報を用いて少なくとも１つの無線通信データパケットをフォーマットする（これにより、例えば、サービスプロバイダ14が選択された電話番号30を識別することが可能となり、発呼と関連付けされた発呼者識別（発呼者ID）情報が提供される）。サービスプロバイダ14は、無線通信装置12から発呼を受け取り、電話発呼又はサービス要求と関連付けされた少なくとも１つの受信した無線通信データパケットを解析して、発呼用に選択された電話番号30を識別し及び／又はその他の態様で判定する。発呼用に選択された電話番号30が無線通信装置12によって決定され及び／又はその他の態様で識別されたことに応じて、コールマネージャ50は、関係マッピングデータ60にアクセスし、アカウントデータ68を使用して識別子62及び電話番号64を特定のアカウントに関連づけする。課金マネージャ52は、電話発呼に関連する任意の課金サービス及びアカウント管理を実行するために使用される。
【００１９】
本発明の幾つかの実施形態では、サービスプロバイダ14が、無線通信装置12（例えば、無線通信装置12に通話しようとしている別のサービス及び／又は装置）に送られる電話サービス要求を受け取ったことに応じて、コールマネージャ50は、関係マッピングデータ60を使用して着呼を受信する無線通信装置12の特定の電話番号を決定し及び／又はその他の態様で識別する。例えば、本発明の幾つかの実施形態では、コールマネージャ50は、無線通信装置12に呼を送る電話番号を識別し、関係マッピングデータ60にアクセスして、無線通信装置12の電話呼に対応する識別子62を識別する。コールマネージャ50は、無線通信装置12を宛先とする少なくとも１つの無線通信データパケットを、着呼を受け取る装置12の電話番号30を示す識別子62情報を用いてフォーマットし及び／又はその他の態様で符号化する。
【００２０】
無線通信装置12で着呼の指示を受け取ったことに応じて、コールマネージャ24は、該着呼と関連付けされた少なくとも１つの無線通信データパケットを解析して、該着呼に対応する特定の電話番号30を判定し及び／又はその他の態様で識別する。例えば、本発明の幾つかの実施形態では、コールマネージャ24は、解析した識別情報を識別子38と関連付けして、着呼を受ける特定の電話番号30を識別する。
【００２１】
本発明の幾つかの実施形態では、コールマネージャ24は、着呼を受ける特定の電話番号30を装置12のユーザに示す。例えば、本発明の幾つかの実施形態では、コールマネージャ24は、インタフェイス28に特定の電話番号30を表示して、装置12のユーザに着呼の指示及びそれに関連する特定の電話番号30を提供するよう構成される。装置12のユーザは、着呼を接続し及び／又は受け、着呼をボイスメールへ転送することを可能にし、及び／又は着呼に対する所望の操作を他の態様で実行する（又はユーザが特定の電話番号30の発呼に既に接続している場合には着呼を自動的にボイスメールに送り又は話中信号を返す）ことが可能である。本発明の幾つかの実施形態では、着呼に応答するために、該着呼を受け取る特定の電話番号30に関連付けされたプロファイルデータ40が使用される。例えば、着信音設定46を使用して着呼の特定の可聴警報を発することが可能であり、アクティブ／スタンバイ設定42を使用して着呼に応答し（例えば、接続せず、ボイスメール応答など）、又は別態様を実施することが可能である。本発明の他の実施形態では、着信音設定46を使用して、特定の番号用に装置12に配置された特定の色の光源を点灯させることも可能である（例えば、業務用電話番号32の着呼には赤い光源を点灯させ、個人用電話番号34の着呼には緑の光源を点灯させ、これにより着呼の特定の電話番号30を表示させる必要性が減少する）。
【００２２】
本発明の幾つかの実施形態では、無線通信装置12は、少なくとも２つの異なる電話番号30での少なくとも２つの異なる着呼を同時に受け及び／又はその他の態様で接続するよう構成される。例えば、本発明の幾つかの実施形態では、特定の電話番号30（例えば業務用電話番号32のうちの１つ）の特定の着呼に接続している間に、無線通信装置12は、別の電話番号30（例えば個人用電話番号34のうちの１つ）の着呼も受けるよう構成される。前述のように、コールマネージャ24は、着呼に関連付けされた少なくとも１つの無線通信データパケットを解析し、好ましくは、該着呼の特定の電話番号30を装置12のユーザに対して表示し及び／又はその他の態様で（例えば着呼と関連付けされた特定の電話番号30をインタフェイス28上に表示させることにより）示す。装置12のユーザは、必要に応じて着呼を処理する（例えば第１の着呼を保留状態にすると共に第２の着呼に接続し、第２の着呼をボイスメールに転送することを可能にし、又は他の態様で処理する）ことが可能であり、及び／又はプロファイルデータ40を他の態様で使用して着呼に応答することが可能である。
【００２３】
通信装置12のコールマネージャ24により実行される呼管理は、通信装置12上で行われることが好ましい。しかし、かかる呼管理の全て又は一部をサービスプロバイダ14により（例えばコールマネージャ50により）実行することが可能であることが理解されよう。例えば、本発明の幾つかの実施形態では、プロファイルデータ40及び／又はその他の呼管理情報は、サービスプロバイダ14に格納しておき、通信装置12に送られる呼に応じて適用することが可能である（例えば、特定の時間中にボイスメールに自動的に送られる特定の番号32又は34の着呼、アクティブ／スタンバイ設定42の適用など）。
【００２４】
本発明の更に別の実施形態では、通信装置12の動作モード（例えば業務用電話番号32モードで動作するか個人用電話番号34モードで動作するか）はサービスプロバイダ14により制御される。例えば、業務のためにユーザ12に業務用の通信装置が支給されるが、ユーザが特定の時間（例えば週末）に該通信装置12を個人用途で使用することが許される場合がある。この例では、サービスプロバイダ14のコールマネージャ50が、指定された時間にわたり、特定の通信装置12の電話番号32又は34の動作モードを自動的に制御する（例えば、平日は業務用電話番号32モードで動作し、業務用の着呼だけを通信装置12に転送すると共に、個人用電話番号34の着呼を自動的にボイスメール又は別の番号へ送る）。このため、コールマネージャ50は、プロファイルデータ40、通信装置12に割り当てられた各電話番号、又はその他の基準に基づいて通信装置12の様々な動作態様及び／又はモードを制御するよう構成することが可能である。
【００２５】
図２は、本発明によるマルチナンバー式無線通信方法の一実施形態を示すフローチャートである。該方法は、ブロック200で始まり、コールマネージャ24が、無線通信装置12に割り当てられた電話番号30をユーザに対して表示し及び／又はその他の態様で示す。ブロック202で、コールマネージャ24は、割り当てられた電話番号30のうち通話を開始するためにユーザが選択した１つの電話番号を受け取る。ブロック204で、コールマネージャ24は、ユーザが発呼を所望する電話番号の指示を（例えばインタフェイス28のキーパッド、以前に記憶された電話番号の選択、又はその他の方法により）受け取る。ブロック206で、コールマネージャ24は、選択された割り当てられた電話番号30に対応する発呼を開始する。ブロック208で、コールマネージャ24は、発呼と関連付けされた少なくとも１つの無線通信データパケットを、該発呼のためにユーザにより選択された電話番号30を識別する識別子38又はその他の識別情報を用いてフォーマットし及び／又はその他の態様で符号化する。
【００２６】
図３は、本発明によるマルチナンバー式無線通信方法の別の実施形態を示すフローチャートである。該方法は、ブロック300で始まり、無線通信装置12が少なくとも１つの無線通信データパケットを受け取る。ブロック302で、コールマネージャ24は、通信装置12が受け取った少なくとも１つの無線通信データパケットを解析して、着呼を受け取っている通信装置12に割り当てられた特定の電話番号30を識別する。ブロック304で、コールマネージャ24は、解析した情報を識別子38と関連付けすることにより、着呼を受け取る装置12の電話番号30を識別する。ブロック306で、コールマネージャ24は、（例えば、装置12のユーザが着呼を受け入れ及び／又はその他の態様で接続することに応じて）着呼に接続する。ユーザは、該ユーザが望む場合には、着呼を他の形で（例えば、着呼や該着呼を生成した番号（例えば発呼者ID）などの表示及び／又はその他の指示を見る、着呼をボイスメールへ自動的に転送させる、又は他の態様で）処理できることが理解されよう。
【００２７】
ブロック308で、コールマネージャ24は、無線通信装置12への別の着呼の指示を受け取る。ブロック310で、コールマネージャ24は、ブロック308の着呼に関連付けされた少なくとも１つの無線通信データパケットを解析して、着呼を受け取る無線通信装置12の電話番号30を識別する。判定ブロック312で、ブロック308の着呼がブロック304の着呼と同じ電話番号30に対するものか否かが判定される。ブロック308の着呼が、ブロック300で受けた着呼に対する既存の接続と同じ電話番号30に対するものである場合には、本方法はブロック314に進み、該着呼についてユーザが所望の操作を実行する（例えば、通話中着信、ボイスメール、又はその他の選択肢を開始する）ことが可能となる。判定ブロック312で、ブロック308の着呼が異なる電話番号30に対するものであると判定された場合には、本方法はブロック316に進み、コールマネージャ24が、着呼を受けている特定の電話番号30を識別し及び／又はその他の態様で示す（例えば、インタフェイス28上に特定の電話番号30を表示するなど）。装置12のユーザは、着呼に接続する、着呼のボイスメールへの転送を可能にする、又はその他の操作といった所望の選択肢を着呼について実行することが可能である（但しこれらには限定されない）。更に、プロファイルデータ40が、着呼について特定の応答（例えば、アクティブ／スタンバイ設定42）を指示することが可能である、ということが理解されよう。
【００２８】
図４は、本発明によるマルチナンバー式無線通信方法の別の実施形態を示すフローチャートである。ブロック400で、プロファイルマネージャ26が、無線通信装置12上で開始される。ブロック402で、プロファイルマネージャ26は、無線通信装置12のユーザに対し、無線通信装置12に割り当てられた電話番号30を識別し及び／又はその他の態様で表示する。ブロック404で、プロファイルマネージャ26は、割り当てられた電話番号30のうちユーザが選択した１つの電話番号を受け取る。ブロック406で、プロファイルマネージャ26は、様々なプロファイル設定及び／又は選択された電話番号30の選択肢を示すプロファイルデータ40を表示する。例えば、アクティブ／スタンバイ設定42、ボイスメール設定44、及び／又は着信音設定46などのプロファイル設定及び／又は選択肢を、選択された電話番号30についてユーザが設定することが可能である。ブロック408で、プロファイルマネージャ26は、選択された電話番号30についての特定のプロファイル設定40の選択及び／又は指示を受け取る。判定ブロック410で、ユーザが、無線通信装置12に割り当てられた別の電話番号30についてプロファイル設定を構成し及び／又はその他の態様で修正することを望むか否かが判定される。ユーザが、無線通信装置12に割り当てられた別の電話番号30についてプロファイル設定40を構成し及び／又はその他の態様で修正することを望む場合には、方法はブロック404に戻る。ユーザが、無線通信装置12に割り当てられた別の電話番号30についてプロファイル設定40を構成し及び／又はその他の態様で修正することを望まない場合には、方法は終了する。
【００２９】
したがって、本発明の実施形態は、単一の無線通信装置で異なる電話番号を使用することを可能にし、これにより、該無線通信装置12のユーザが異なる目的（例えば業務用又は個人用）のために装置12に割り当てられた複数の異なる電話番号30を容易に区別し及び／又は使用することが可能となる。本発明の実施形態はまた、無線通信装置12に関する課金サービスを強化させることを可能にする。例えば、異なる電話番号30を異なる目的（例えば業務用又は個人用）に使用することにより、サービスプロバイダ14によって処理される無線通信装置12に関する課金情報を、該無線通信装置12に割り当てられた各電話番号30に基づいて分類し及び／又はその他の態様でフォーマットし、これにより該装置12のユーザが各電話番号30に関連するコスト及び／又はその他の情報を識別することが可能となる。上述した方法において、幾つかの機能は、省略することが可能なものであり、説明した方法とは異なる順序で遂行することが可能なものであり、又は同時に若しくは組み合わせて実行することが可能なものである、ということが理解されよう。また、上述した方法を、本明細書中に示した本発明の任意の他の機能又は特徴を含むよう変更することが可能であることが理解されよう。
【図面の簡単な説明】
【００３０】
【図１】本発明によるマルチナンバー式無線通信システムの一実施形態を示すブロック図である。
【図２】本発明によるマルチナンバー式無線通信方法の一実施形態を示すフローチャートである。
【図３】本発明によるマルチナンバー式無線通信方法の別の実施形態を示すフローチャートである。
【図４】本発明によるマルチナンバー式無線通信方法の更に別の実施形態を示すフローチャートである。
【符号の説明】
【００３１】
10  マルチナンバー式無線通信システム
12  無線通信装置
24  コールマネージャ
26  プロファイルマネージャ
30  電話番号
40  プロファイル設定
【図１】
2007124658.tif 000003
【図２】
2007124658.tif 000004
【図３】
2007124658.tif 000005
【図４】
2007124658.tif 000006